(57)【要約】【課題】複数の通信方式を利用可能な通信装置において、ユーザの体感品質が低下しすぎないようにそれら通信方式の中でも低品質の通信方式を活用した通信を行う。【解決手段】無線送受信器２０１−２及び無線送受信器３０１−２が用いる無線通信方式は、無線送受信器２０１−１及び無線送受信器３０１−１が用いる無線通信方式よりも通信品質が低い。局側装置３００の局側振り分け部３０２は、上位ＮＷ装置４００から受信したユーザ端末２００宛てのデータ信号を無線送受信器３０１−２に出力する。ユーザ端末２００の端末側振り分け部２０２は、無線送受信器２０１−２が無線送受信器３０１−２から無線により受信したデータ信号に対する応答信号を、無線送受信器２０１−１に出力する。局側装置３００の局側振り分け部３０２は、無線送受信器３０１−１が無線送受信器２０１−１から無線により受信した応答信号を、上位ＮＷ装置４００に出力する。【選択図】図１
2020202436.tif 000002
【特許請求の範囲】
【請求項１】
無線通信を行う第一無線通信部と、
前記第一無線通信部よりも低い通信品質の無線通信を行う第二無線通信部と、
前記第二無線通信部が無線により受信したデータ信号に対する応答信号を、前記第一無線通信部から無線により送信する送信制御部と、
を備える通信装置。
【請求項２】
前記送信制御部は、前記応答信号を前記第一無線通信部と前記第二無線通信部とのそれぞれから無線により送信する、
請求項１に記載の通信装置。
【請求項３】
無線通信を行う第一無線通信部と、
前記第一無線通信部よりも低い通信品質の無線通信を行う第二無線通信部と、
送信元の装置から受信したデータ信号を前記第二無線通信部から無線により送信する送信制御部と、
前記データ信号の送信先の装置から返送され、前記第一無線通信部が無線により受信した応答信号を前記送信元の装置へ送信する受信制御部と、
を備える通信装置。
【請求項４】
前記受信制御部は、前記第一無線通信部又は前記第二無線通信部の一方が前記応答信号を受信した場合は前記応答信号を前記送信元の装置へ送信し、前記第一無線通信部と前記第二無線通信部とが前記応答信号を受信した場合は前記応答信号の重複をなくして前記送信元の装置へ送信する、
請求項３に記載の通信装置。
【請求項５】
前記送信先の装置へ送信されるデータ量に関する情報を前記応答信号から取得し、取得した前記情報に基づいて前記送信先の通信装置に割り当てる帯域を計算する帯域計算部をさらに備える、
請求項３又は請求項４に記載の通信装置。
【請求項６】
前記第一無線通信部に故障が発生した場合、前記第一無線通信部に代えて前記第二無線通信部を用いて無線通信を行い、前記第二無線通信部に故障が発生した場合、前記第二無線通信部に代えて前記第一無線通信部を用いて無線通信を行う、
請求項１から請求項５のいずれか一項に記載の通信装置。
【請求項７】
無線通信を行う第一無線通信部と、前記第一無線通信部よりも低い通信品質の無線通信を行う第二無線通信部とを有する通信装置における通信方法であって、
前記第二無線通信部が無線によりデータ信号を受信する受信ステップと、
前記受信ステップにおいて受信した前記データ信号に対する応答信号を、前記第一無線通信部から無線により送信する送信ステップと、
を有する通信方法。
【請求項８】
無線通信を行う第一無線通信部と、前記第一無線通信部よりも低い通信品質の無線通信を行う第二無線通信部とを有する通信装置における通信方法であって、
送信元の装置から受信したデータ信号を前記第二無線通信部から無線により送信する送信ステップと、
前記第一無線通信部が、前記データ信号の送信先の装置から返送された応答信号を受信する受信ステップと、
前記受信ステップにおいて受信した前記応答信号を前記送信元の装置へ送信する転送ステップと、
を有する通信方法。
【発明の詳細な説明】
【技術分野】
【０００１】
本発明は、通信装置及び通信方法に関する。
【背景技術】
【０００２】
モバイル端末は、モバイル通信とWi-Fi（登録商標）など、複数の通信手段を有している。ユーザは、それらの通信手段の特性により、使い分けを行っている。
【０００３】
モバイル通信では、高速な通信を行うために送信電力を大きくする必要がある。この大きな送信電力によって他の通信サービスへ影響を与えないように、割り当てが管理されている周波数の中からモバイル通信に利用される周波数は決められている。このような管理された通信方式では、一般的にパケットロスなどは少なく、通信品質は高い。しかし、コストがかかるためにサービス料金が高い傾向がある。
【０００４】
一方で、Wi-Fi（登録商標）に代表されるように、周波数の利用にあたり免許が不要な無線通信方式がある。このような管理されていない通信方式に用いられる装置は比較的安価であるために、アクセスポイントが乱立して干渉を起こしやすい。また、装置への実装に問題を有していることもある。結果的に、パケットロスなどが多く生じ、管理された通信方式よりも通信品質は低い傾向がある。
【０００５】
近年、モバイル端末を用いた通信のニーズは益々増えている。これには、スマートフォンの普及の影響が大きい。スマートフォンは、これまでの携帯電話と比較して画面が大きいことから、多くの文字や、画像、動画などが見やすい。そのため、コンテンツの利用が増加し、要求される情報量も増加したと考えられる。
【０００６】
これらの通信には、通常、インターネットプロトコルが用いられる（例えば、非特許文献１参照）。ＴＣＰ（Transmission Control Protocol）プロトコルを用いた通信では、受信側の装置は、送信側の装置から受信するパケットそれぞれに対してＡＣＫ信号を返送する。送信側の装置は、このＡＣＫ信号の受信により、途中でパケットロスが発生していないことを確認する。送信側の装置が１パケット毎にこの確認を行ってから次のパケットを送信すると効率が悪い。そのため、ウィンドウサイズというＡＣＫ信号を待たずに送信できるデータ量が定められている。送信側の装置は、ウィンドウサイズまでのパケットを連続して送信する。送信側の装置は、送信したすべてのパケットに対するＡＣＫ信号が返送された場合には次の送信に向けてウィンドウサイズを大きくし、パケットロスを検出した場合にはウィンドウサイズを小さくする。
【先行技術文献】
【非特許文献】
【０００７】
【非特許文献１】RFC: 791，“Internet Protocol DARPA Internet Program Protocol Specification”，［online］，1981年9月，［2019年4月2日検索］，インターネット〈URL：https://www.ietf.org/rfc/rfc0791.txt〉
【発明の概要】
【発明が解決しようとする課題】
【０００８】
インターネットを介して大容量コンテンツをユーザ端末に配信する際に、通信品質が高い通信方式を用いた場合、サービス料金が高くなる傾向にある。一方で、通信品質が低い通信方式を用いた場合、パケットロスの発生リスクが高くなる。パケットロスが発生するとウィンドウサイズが小さくなるため、例えば、動画の再生が一時的に停止するなど、ユーザの体感品質が低下する。
【０００９】
上記事情に鑑み、本発明は、複数の通信方式を利用可能な場合に、ユーザの体感品質が低下しすぎないようにそれら通信方式の中でも低品質の通信方式を活用した通信を行うことができる通信装置及び通信方法を提供することを目的としている。
【課題を解決するための手段】
【００１０】
本発明の一態様は、無線通信を行う第一無線通信部と、前記第一無線通信部よりも低い通信品質の無線通信を行う第二無線通信部と、前記第二無線通信部が無線により受信したデータ信号に対する応答信号を、前記第一無線通信部から無線により送信する送信制御部と、を備える通信装置である。
【００１１】
本発明の一態様は、上述の通信装置であって、前記送信制御部は、前記応答信号を前記第一無線通信部と前記第二無線通信部とのそれぞれから無線により送信する。
【００１２】
本発明の一態様は、無線通信を行う第一無線通信部と、前記第一無線通信部よりも低い通信品質の無線通信を行う第二無線通信部と、送信元の装置から受信したデータ信号を前記第二無線通信部から無線により送信する送信制御部と、前記データ信号の送信先の装置から返送され、前記第一無線通信部が無線により受信した応答信号を前記送信元の装置へ送信する受信制御部と、を備える通信装置である。
【００１３】
本発明の一態様は、上述の通信装置であって、前記受信制御部は、前記第一無線通信部又は前記第二無線通信部の一方が前記応答信号を受信した場合は前記応答信号を前記送信元の装置へ送信し、前記第一無線通信部と前記第二無線通信部とが前記応答信号を受信した場合は前記応答信号の重複をなくして前記送信元の装置へ送信する。
【００１４】
本発明の一態様は、上述の通信装置であって、前記送信先の装置へ送信するデータ量に関する情報を前記応答信号から取得し、取得した前記情報に基づいて前記送信先の通信装置に割り当てる帯域を計算する帯域計算部をさらに備える。
【００１５】
本発明の一態様は、上述の通信装置であって、前記第一無線通信部に故障が発生した場合、前記第一無線通信部に代えて前記第二無線通信部を用いて無線通信を行い、前記第二無線通信部に故障が発生した場合、前記第二無線通信部に代えて前記第一無線通信部を用いて無線通信を行う。
【００１６】
本発明の一態様は、無線通信を行う第一無線通信部と、前記第一無線通信部よりも低い通信品質の無線通信を行う第二無線通信部とを有する通信装置における通信方法であって、前記第二無線通信部が無線によりデータ信号を受信する受信ステップと、前記受信ステップにおいて受信した前記データ信号に対する応答信号を、前記第一無線通信部から無線により送信する送信ステップと、を有する。
【００１７】
本発明の一態様は、無線通信を行う第一無線通信部と、前記第一無線通信部よりも低い通信品質の無線通信を行う第二無線通信部とを有する通信装置における通信方法であって、送信元の装置から受信したデータ信号を前記第二無線通信部から無線により送信する送信ステップと、前記第一無線通信部が、前記データ信号の送信先の装置から返送された応答信号を受信する受信ステップと、前記受信ステップにおいて受信した前記応答信号を前記送信元の装置へ送信する転送ステップと、を有する。
【発明の効果】
【００１８】
本発明により、複数の通信方式を利用可能な場合に、ユーザの体感品質が低下しすぎないようにそれら通信方式の中でも低品質の通信方式を活用した通信を行うことが可能となる。
【図面の簡単な説明】
【００１９】
【図１】本発明の第１の実施形態による通信システムの構成図である。
【図２】第２の実施形態による通信システムの構成図である。
【図３】第３の実施形態による通信システムの構成図である。
【図４】同実施形態による他の通信システムの構成図である。
【発明を実施するための形態】
【００２０】
以下、図面を参照しながら本発明の実施形態を詳細に説明する。
図１は、本発明の第１の実施形態による通信システム１００の構成図である。通信システム１００は、ユーザ端末２００と、局側装置３００とを有する。ユーザ端末２００と局側装置３００とは、Ｍ種類（Ｍは２以上の整数）の無線通信方式により無線通信が可能である。図１では、ユーザ端末２００を１台のみ示しているが、局側装置３００と無線通信するユーザ端末２００の台数は任意である。局側装置３００は、上位ＮＷ（ネットワーク）と接続されている。上位ＮＷには、上位ＮＷ装置４００が接続されている。上位ＮＷからユーザ端末２００への方向を下り、ユーザ端末２００から上位ＮＷへの方向を上りと記載する。
【００２１】
ユーザ端末２００は、Ｍ台の無線送受信器２０１と、端末側振り分け部２０２とを備える。以下では、Ｍ台の無線送受信器２０１を、無線送受信器２０１−１〜２０１−Ｍと記載する。Ｍ台の無線送受信器２０１は、それぞれ異なる無線通信方式により通信する。以下では、無線送受信器２０１−ｍ（ｍは１以上Ｍ以下の整数）が用いる無線通信方式を、無線通信方式（ｍ）と記載する。通信方式の違いにより、無線通信方式（ｊ）は、無線通信方式（ｋ）よりも通信品質が高い（ｊ＜ｋ、ｊは１以上Ｍ−１以下の整数、ｋは２以上Ｍ以下の整数）。本実施形態では、Ｍ＝２、ｊ＝１、ｋ＝２の場合を例に説明する。例えば、無線通信方式（１）が利用する周波数はライセンスバンドであり、無線通信方式（２）が利用する周波数はアンライセンスバンドである。無線通信方式（１）の具体例はモバイル通信であり、無線通信方式（２）の具体例はWi-Fi（登録商標）であるが、これらに限定されない。信号受信時、無線送受信器２０１−ｍは、局側装置３００から無線通信方式（ｍ）により受信した下りデータを電気信号に変換して端末側振り分け部２０２に出力する。信号送信時、無線送受信器２０１−ｍは、端末側振り分け部２０２から入力した電気信号の上りデータを無線通信方式（ｍ）により局側装置３００に送信する。
【００２２】
端末側振り分け部２０２は、上りデータを無線送受信器２０１−１又は無線送受信器２０１−２に振り分けて出力する機能を有する。具体的には、端末側振り分け部２０２は、上りのＡＣＫ信号を無線送受信器２０１−１に送り、それ以外の上りの信号を無線送受信器２０１−２に送る（振り分けルールＲ１）。また、端末側振り分け部２０２は、上り信号の全てを無線送受信器２０１−１に送ってもよい（振り分けルールＲ２）。また、端末側振り分け部２０２は、アップロードなどを行うデータが設定された上り信号を無線送受信器２０１−２に送り、それ以外の上りデータを無線送受信器２０１−１に送ることも可能である（振り分けルールＲ３）。さらに、端末側振り分け部２０２は、無線送受信器２０１−１及び無線送受信器２０１−２のそれぞれが局側装置３００から受信した下りデータを１つの信号にまとめる機能を持つ。
【００２３】
局側装置３００は、Ｍ台の無線送受信器３０１と、局側振り分け部３０２とを備える。以下では、Ｍ台の無線送受信器３０１を、無線送受信器３０１−１〜３０１−Ｍと記載する。上述のように、本実施形態では、Ｍ＝２とする。なお、無線送受信器３０１−１〜３０１−Ｍ及び局側振り分け部３０２はそれぞれ物理的に異なる装置に実装されてもよく、一部又は全てが同一の装置に実装されてもよい。
【００２４】
無線送受信器３０１−ｍ（ｍは１以上Ｍ以下の整数）は、無線送受信器２０１−ｍと対向する。すなわち、無線送受信器３０１−ｍは、無線通信方式（ｍ）により無線送受信器２０１−ｍと通信し、データの送受信を行う。信号送信時、無線送受信器３０１−ｍは、局側振り分け部３０２から入力した電気信号の下りデータを無線によりユーザ端末２００に送信する。信号受信時、無線送受信器３０１−ｍは、ユーザ端末２００から無線により受信した上りデータを電気信号に変換して局側振り分け部３０２に出力する。
【００２５】
局側振り分け部３０２は、上位ＮＷ（ネットワーク）から受信した下りデータを、予め決められた振り分けルールに基づいて、無線送受信器３０１−１又は無線送受信器３０１−２に振り分けて出力する機能を持つ。本実施形態では、局側振り分け部３０２は、下りデータを無線送受信器３０１−２に出力し、ユーザ端末２００へ送信するＡＣＫ信号を無線送受信器３０１−１に出力する。さらに、局側振り分け部３０２は、無線送受信器３０１−１及び無線送受信器３０１−２のそれぞれがユーザ端末２００から受信した上りデータを１つの信号にまとめる機能を持つ。
【００２６】
続いて、上位ＮＷ装置４００からユーザ端末２００にデータを配信する場合のＴＣＰプロトコルに関する通信システム１００の動作を説明する。例えば、上位ＮＷ装置４００は、サーバ・クライアントシステムにおけるサーバコンピュータであり、クライアントに相当するユーザ端末２００にデータをダウンロードする。ユーザ端末２００は、振り分けルールＲ１により振り分けを行う。
【００２７】
(動作１）まず、正常にパケットが送受信される場合の動作について説明する。データ送信元の上位ＮＷ装置４００は、ユーザ端末２００への送信データを複数のセグメントに分割し、各セグメントを設定した下りデータ信号を生成する。なお、セグメントのデータ量は、データ送信前のスリーウェイハンドシェイクによって決められる。下りデータ信号を送信するパケットには、シーケンス番号が設定される。シーケンス番号は、一連の送信データを所定のデータ量の単位で分割したときのデータ位置を示す情報である。シーケンス番号の初期値はランダムであり、分割されたデータの先頭から順に１ずつ増加する。パケットには、そのパケットにより送信されるセグメントの先頭のシーケンス番号が付与される。すなわち、パケットに設定されるシーケンス番号は、そのパケットに設定されている送信データが、送信データ全体におけるどの位置からのデータであるかを表す。上位ＮＷ装置４００は、シーケンス番号が小さい順にウィンドウ内の未送信の下りデータ信号のパケットを送信する。なお、ウィンドウサイズは、通信開始時点では小さな値であるが、ＡＣＫ信号の正常な受信に伴い段階的に大な値となり、ＡＣＫ信号が正常に受信できなかった場合は小さくなる。局側装置３００の局側振り分け部３０２は、上位ＮＷを介して上位ＮＷ装置４００から受信した下りデータ信号のパケットを、無線送受信器３０１−２に出力する。無線送受信器３０１−２は、下りデータ信号のパケットを無線通信方式（２）により送信する。
【００２８】
ユーザ端末２００の無線送受信器２０１−２は、無線送受信器３０１−２から無線により受信した下りデータ信号のパケットを電気信号に変換して端末側振り分け部２０２に出力する。端末側振り分け部２０２は、パケットに設定されているシーケンス番号に基づいてパケットから抽出したデータを整列したり、パケットロスの発生を検出したりする。端末側振り分け部２０２は、下りデータ信号のパケットを受信すると、受信したパケット毎にＡＣＫ信号を生成する。ＡＣＫ信号には、次の送信を要求するセグメントの先頭のシーケンス番号、具体的には、ユーザ端末２００において正常に連続して受信できたセグメントの次のセグメントの先頭のシーケンス番号が設定される。つまり、ＡＣＫ信号に設定されるシーケンス番号は、ユーザ端末２００における受信の連続性が途切れたデータ位置を示す情報である。さらに、ＡＣＫ信号には、ユーザ端末２００がＡＣＫ信号送信時点で受信可能なウィンドウサイズが設定される。端末側振り分け部２０２は、生成したＡＣＫ信号を無線送受信器２０１−１に出力し、無線送受信器２０１−１は、高品質の無線通信方式（１）によりＡＣＫ信号を送信する。局側装置３００の無線送受信器３０１−１は、無線送受信器２０１−１から受信したＡＣＫ信号を電気信号に変換して局側振り分け部３０２に出力し、局側振り分け部３０２は、受信したＡＣＫ信号を上位ＮＷに送信する。
【００２９】
上位ＮＷ装置４００は、上位ＮＷを介してＡＣＫ信号を受信する。上位ＮＷ装置４００は、ＡＣＫ信号に設定されているウィンドウサイズを超えない範囲でウィンドウサイズを現在よりも大きくする。上位ＮＷ装置４００は、ＡＣＫ信号に設定されているシーケンス番号に基づいて正常に受信されたことが確認されたセグメントを除くようにウィンドウの開始位置となるセグメントをスライドさせる。上位ＮＷ装置４００は、ウィンドウ内の未送信のセグメントが設定された下りデータ信号のパケットを送信する。
【００３０】
（動作２）次に、通信品質が低い無線通信方式（２）により通信する無線送受信器３０１−２と無線送受信器２０１−２との間でパケットロスが発生した場合の動作について説明する。上述した動作１と同様に局側装置３００の無線送受信器３０１−２は、下りデータ信号のパケットを送信する。しかし、無線送受信器３０１−２から無線送受信器２０１−２への下りの通信において一部パケットのロスが発生すると、そのパケットはユーザ端末２００に到着しない。ユーザ端末２００の端末側振り分け部２０２は、パケットロスを検出すると、ＡＣＫ信号に連続性が途切れたデータ位置を示す情報としてのシーケンス番号を設定し、無線送受信器２０１−１に出力する。無線送受信器２０１−１は、無線通信方式（１）によりＡＣＫ信号を送信する。無線送受信器３０１−１は、無線送受信器２０１−１から受信したＡＣＫ信号を電気信号に変換して局側振り分け部３０２に出力し、局側振り分け部３０２は、受信したＡＣＫを上位ＮＷに送信する。上位ＮＷ装置４００は、このＡＣＫ信号を受信すると、ロスしたパケットを再送信する。この時、ウィンドウサイズは変化しない。
【００３１】
(動作３）続いて、上りのデータ通信におけるパケットロスが発生した場合の動作を説明する。上述した動作１と同様に上り通信によりユーザ端末２００から送信されたＡＣＫ信号にパケットロスが発生した場合、そのＡＣＫ信号は上位ＮＷ装置４００に到着しない。上位ＮＷ装置４００は、下りデータ信号の送信から所定時間経過してもＡＣＫ信号を受信しない場合、現在用いているウィンドウサイズを小さくする。上位ＮＷ装置４００は、変更後のウィンドウサイズに含まれる、ＡＣＫ信号を受信できなかった下りデータ信号のパケットを再送する。
【００３２】
上記のＴＣＰプロトコルのように、データ信号とＡＣＫ信号とでパケットロス時のウィンドウサイズの制御が異なる状況では、ＡＣＫ信号のパケットロス時にウィンドウサイズが小さくなってしまう。本実施形態の通信システム１００は、ＡＣＫ信号の送信に通信品質が高い無線通信方式（１）を利用するために、無線送受信器２０１−１と無線送受信器３０１−１とに上り信号の通信を割り当てる。このように、ＡＣＫ信号の伝送に、より高い通信品質の通信方式が用いられ、パケットロス時の通信効率の低下を防ぐことができる。
【００３３】
なお、データをアップロードするときなどは、ユーザ端末２００が、上りデータ信号のパケットを上位ＮＷ装置４００に送信し、上位ＮＷ装置４００がユーザ端末２００に下りのＡＣＫ信号を送信する。この場合、通信システム１００は、上りデータ信号のパケットに無線通信方式（２）を用い、下りのＡＣＫ信号に無線通信方式（１）を用いる。すなわち、ユーザ端末２００の端末側振り分け部２０２は、上位ＮＷ装置４００宛ての上りデータ信号のパケットを無線送受信器２０１−２に出力する。局側装置３００の無線送受信器３０１−２は、無線送受信器２０１−２から無線により受信した上りデータ信号のパケットを電気信号に変換して局側振り分け部３０２に出力する。局側振り分け部３０２は、無線送受信器３０１−２から入力したパケットを上位ＮＷに出力する。上位ＮＷ装置４００は、上りデータ信号のパケットを受信すると、下りのＡＣＫ信号を返送する。局側装置３００の局側振り分け部３０２は、上位ＮＷから受信した下りのＡＣＫ信号のパケットを無線送受信器３０１−１に出力する。ユーザ端末２００の無線送受信器２０１−１は、無線送受信器３０１−１から無線により受信した下りのＡＣＫ信号のパケットを電気信号に変換して端末側振り分け部２０２に出力する。
【００３４】
（第２の実施形態）
本実施形態では、ユーザ端末は、ＡＣＫ信号を無線通信方式（１）及び無線通信方式（２）の両方により送信する。
【００３５】
図２は、本発明の第２の実施形態による通信システム１１０の構成を示す図である。同図において図１に示す第１の実施形態の通信システム１００と同一の部分には同一の符号を付し、その説明を省略する。通信システム１１０は、ユーザ端末２１０と、局側装置３１０とを有する。図２では、ユーザ端末２１０を１台のみ示しているが、局側装置３１０と通信するユーザ端末２１０の台数は任意である。局側装置３１０は、上位ＮＷと接続されている。
【００３６】
ユーザ端末２１０が、図１に示すユーザ端末２００と異なる点は、端末側振り分け部２０２に代えて、端末側振り分け部２１２を備える点である。端末側振り分け部２１２は、ＡＣＫ信号を複製して無線送受信器２０１−１及び無線送受信器２０１−２に出力する機能を具備する。また、端末側振り分け部２１２は、端末側振り分け部２０２と同様に、無線送受信器２０１−１及び無線送受信器２０１−２のそれぞれが受信した下りデータを１つの信号にまとめる機能を持つ。
【００３７】
局側装置３１０が、図１に示す局側装置３００と異なる点は、局側振り分け部３０２に代えて局側振り分け部３１２を備える点と、フィルタ部３１３をさらに備える点である。
【００３８】
局側振り分け部３１２は、第１の実施形態の局側振り分け部３０２と同様に、ユーザ端末２１０宛ての信号を無線送受信器３０１−１又は無線送受信器３０１−２に振り分けて出力する機能を具備する。しかし、局側振り分け部３１２は、第１の実施形態の局側振り分け部３０２が具備するような、無線送受信器３０１−１及び無線送受信器３０１−２のそれぞれから出力された上りデータを１つの信号にまとめる機能を持たない。
【００３９】
フィルタ部３１３は、無線送受信器３０１−１及び無線送受信器３０１−２と接続される。フィルタ部３１３は、無線送受信器３０１−１及び無線送受信器３０１−２のそれぞれから出力された上りデータ信号を１つの信号にまとめる機能を具備する。さらに、フィルタ部３１３は、ユーザ端末２００から送信された上りデータ信号のパケットを監視して、無線送受信器３０１−１及び無線送受信器３０１−２のそれぞれに到着したパケットの重複を検出し、フィルタする機能を具備する。フィルタの機能とは、フィルタ部３１３が重複する同じパケットを検出した場合に、それら重複するパケットのうち１つのみを上位ＮＷに出力し、重複する他のパケットを上位ＮＷに出力しないようにする機能である。
【００４０】
続いて、通信システム１１０の動作を説明する。ユーザ端末２１０が下りデータ信号のパケットを受信するまでの動作は、第１の実施形態と同様である。すなわち、上位ＮＷ装置４００は、ウィンドウ内の下りデータ信号のパケットをユーザ端末２１０宛てに送信する。局側装置３１０の局側振り分け部３１２は、下りデータ信号のパケットを無線送受信器３０１−２に出力する。無線送受信器３０１−２は、下りデータ信号のパケットを無線通信方式（２）により送信する。ユーザ端末２００の無線送受信器２０１−２は受信した下りデータ信号のパケットを端末側振り分け部２１２に出力する。端末側振り分け部２１２は、第１の実施形態の端末側振り分け部２０２と同様の処理によりパケットロスが発生したか否かを判断し、判断結果に応じてＡＣＫ信号を生成する。端末側振り分け部２０２は、生成したＡＣＫ信号を複製し、２つのＡＣＫ信号の一方を無線送受信器２０１−１に、他方のＡＣＫ信号を無線送受信器２０１−２に出力する。無線送受信器２０１−１は、無線通信方式（１）によりＡＣＫ信号のパケットを送信し、無線送受信器２０１−２は、無線通信方式（２）によりＡＣＫ信号のパケットを送信する。
【００４１】
局側装置３１０の無線送受信器３０１−１は、無線送受信器２０１−１が送信したＡＣＫ信号のパケットを無線により受信し、電気信号に変換してフィルタ部３１３に出力する。同様に、無線送受信器３０１−２は、無線送受信器２０１−２が送信したＡＣＫ信号のパケットを無線により受信し、電気信号に変換してフィルタ部３１３に出力する。フィルタ部３１３は、無線送受信器３０１−１と無線送受信器３０１−２とからＡＣＫ信号のパケットを重複して受信した場合、一つのＡＣＫ信号のパケットのみを上位ＮＷに出力し、残りのＡＣＫ信号のパケットを破棄する。フィルタ部３１３は、パケットロスの発生により、無線送受信器３０１−１と無線送受信器３０１−２とのうち一方のみからＡＣＫ信号のパケットを受信した場合、そのＡＣＫ信号のパケットを上位ＮＷに出力する。上位ＮＷ装置４００は、ＡＣＫ信号を受信する。
【００４２】
上記により、無線送受信器３０１−１と無線送受信器２０１−１との間の上り信号のパケットロス、及び、無線送受信器３０１−２と無線送受信器２０１−２との間の上り信号のパケットロスが同時に発生しない限り、該当通信区間における上りＡＣＫ信号のパケットロスが生じないため、通信効率の低下を防ぐことができる。
【００４３】
（第３の実施形態）
本実施形態では、局側装置は、ユーザ端末が送信したＡＣＫ信号をスヌープして、上位ＮＷ装置からユーザ端末に送信されるデータ量に関する情報を取得し、取得した情報に基づいてユーザ端末に割り当てる帯域を計算する。ユーザ端末に送信されるデータ量に関する情報として、シーケンス番号が用いられる。
【００４４】
図３は、本発明の第３の実施形態による通信システム１２０の構成図である。同図において、図１に示す第１の実施形態による通信システム１００と同一の部分には同一の符号を付し、その説明を省略する。図３に示す通信システム１００と、図１に示す通信システムとが異なる点は、局側装置３００に代えて、局側装置３２０を有する点である。図３では、Ｎ台（Ｎは１以上の整数）のユーザ端末２００をユーザ端末２００−１〜２００−Ｎと記載している。
【００４５】
局側装置３２０が、図１に示す局側装置３００と異なる点は、ＡＣＫスヌープ部３２１及び帯域計算部３２２をさらに備える点である。一般的に、無線送受信器３０１−２は、１対多通信をしている。そのため、無線送受信器３０１−２は、複数の通信対象のユーザ端末２００のそれぞれに通信帯域の割り当て制御を行う送信スケジューラ３１１を備えている。
【００４６】
ユーザ端末２００がＡＣＫ信号を返送した際、この返送されたＡＣＫ信号を受信した上位ＮＷ装置４００から送信される次のデータ量は、途中のＮＷ経路に障害がない限り予測可能である。そこで、ＡＣＫスヌープ部３２１は、上りのＡＣＫ信号のパケットに設定されているシーケンス番号を読み取ることにより、現状のウィンドウサイズの推定値を算出する。
【００４７】
例えば、ＡＣＫスヌープ部３２１は、ＡＣＫ信号の送信元のユーザ端末２００−ｎ（ｎは１以上Ｎ以下の整数）を識別する情報と、ＡＣＫ信号のパケットから読み取ったシーケンス番号と、そのパケットの受信時刻とを対応付けて記憶しておく。ＡＣＫスヌープ部３２１は、ユーザ端末２００−１〜２００−Ｎのそれぞれについて、現在時刻から所定時間遡った時刻以降が受信時刻のシーケンス番号、又は、受信時刻が新しいものから所定数分のシーケンス番号を抽出し、抽出したシーケンス番号の変化に基づいて、各ユーザ端末２００−ｎ（ｎは１以上Ｎ以下の整数）に用いられているウィンドウサイズの推定値を算出する。例えば、ＡＣＫスヌープ部３２１は、抽出したシーケンス番号を番号順に並べたときに隣接する異なるシーケンス番号同士の差分を算出し、その差分と１シーケンス番号分に相当するデータ量との乗算に基づき１パケット分の送信データのサイズを得る。ＡＣＫスヌープ部３２１は、１パケット分の送信データと、受信時刻に基づいて１ウィンドウ内で送信されたと推定されるＡＣＫ信号の数との乗算に基づいてウィンドウサイズの推定値を算出する。
【００４８】
帯域計算部３２２は、ＡＣＫスヌープ部３２１が算出したユーザ端末２００−ｎのウィンドウサイズ推定値を用いて、ユーザ端末２００−ｎに対する次の下りデータの送信データ量を計算する。帯域計算部３２２は、この計算結果を用いて無線送受信器３０１−２の送信スケジューラ３１１に通信帯域の指示を送る。この指示により、ユーザ端末２００−ｎ宛て下りデータ信号のパケットが無線送受信器３０１−２においてバッファリングされる時間を最小にし、無線送受信器３０１−２から無線送受信器２０１−２への無線通信の遅延を最小にすることができる。
【００４９】
また、帯域計算部３２２は、ＡＣＫスヌープ部３２１からＡＣＫ信号の受信時刻の情報を取得する。帯域計算部３２２は、ＡＣＫ信号の受信時刻と、そのＡＣＫ信号に対応したウィンドウサイズによって上位ＮＷ装置４００から送信された次の下りデータ信号のパケットの受信時刻との差分に基づいてＲＴＴ（Round Trip Time）を計算する。帯域計算部３２２は、この計算したＲＴＴを用いて送信スケジューラ３１１へ帯域確保のタイミングを指示することにより通信効率を最大化することができる。つまり、帯域計算部３２２が、ＡＣＫ信号の情報やウィンドウサイズ推定値、上位ＮＷからの下りデータ信号をもとに送信データ量とＲＴＴを計算し、送信スケジューラ３１１に通信帯域と帯域確保のタイミングを指示する。これにより、無線送受信器３０１−２内のバッファ（不図示）にパケットが蓄積される（バッファリングされる）時間を最小にすることができる。
【００５０】
また、上述した第１の実施形態との差分を、第２の実施形態に適用することも可能である。図４は、本実施形態による通信システム１３０の構成図である。図４において、図２に示す第２の実施形態の通信システム１１０及び図３に示す本実施形態の通信システム１２０と同一の部分には同一の符号を付している。図２に示す通信システム１１０と、図４に示す通信システムとが異なる点は、局側装置３１０に代えて、局側装置３３０を有する点である。同図では、Ｎ台（Ｎは１以上の整数）のユーザ端末２１０をユーザ端末２１０−１〜２１０−Ｎと記載している。
【００５１】
局側装置３３０が、図２に示す局側装置３１０と異なる点は、ＡＣＫスヌープ部３２１及び帯域計算部３２２をさらに備える点である。ＡＣＫスヌープ部３２１及び帯域計算部３２２は、図３に示す局側装置３１０が備えるＡＣＫスヌープ部３２１及び帯域計算部３２２と同様に動作する。
【００５２】
（第４の実施形態）
本実施形態では、ユーザ端末と局側装置との間で使用している無線通信方式（１）又は無線通信方式（２）のいずれかが使用できない場合に、使用可能な無線通信方式のみを利用して通信を継続する。以下では、第１の実施形態との差分を中心に説明するが、第３の実施形態の通信システム１２０にこの差分を適用することもできる。
【００５３】
本実施形態の通信システムの構成は、図１に示す第１の実施形態の通信システム１００と同じである。一般的に、機能ブロックが増えると故障の確率は増える。従来の通信システムは、ある時刻の通信において無線通信方式（１）と無線通信方式（２）のうちいずれか一方しか使用しない。これは、図１に示す通信システム１００において、無線送受信器２０１−１と無線送受信器３０１−１との組、又は、無線送受信器２０１−２と無線送受信器３０１−２との組のいずれか一方の組しか使用しないことに相当する。
【００５４】
しかし、本実施形態の通信システムは、第１の実施形態の通信システムと同様に、無線送受信器２０１−１と無線送受信器３０１−１との組、及び、無線送受信器２０１−２と無線送受信器３０１−２との組の２組を使用する。そのため、無線送受信器２０１−１、２０１−２、３０１−１、３０１−２の４台の無線送受信器のうち１つでも故障した場合に通信ができなくなる。そこで、端末側振り分け部２０２と局側振り分け部３０２とはそれぞれ、無線通信方式（１）及び無線通信方式（２）の通信が継続しているか否かを監視し、通信を継続できない異常が発生した際には異常が無い無線通信方式の無線送受信器の組のみを使用するよう切替を行う切替部としての機能を具備する。これにより、一方の無線送受信器の組において故障が発生したときでも、通信できなくなることを防ぐことができる。
【００５５】
端末側振り分け部２０２及び局側振り分け部３０２における故障検知方法には、送信側で検知する方法と、受信側で検知する方法とがある。送信側で検知する方法の場合、送信側の無線送受信器に異常が生じた場合に該当の無線送受信器が自装置又は自端末内の振り分け部に警報を出力する。
【００５６】
具体的には、ユーザ端末２００の無線送受信器２０１−１に異常が発生した場合、端末側振り分け部２０２は、無線送受信器２０１−１から警報を受信し、上り信号のパケットを全て無線送受信器２０１−２に出力する。また、ユーザ端末２００の無線送受信器２０１−２に異常が発生した場合、端末側振り分け部２０２は、無線送受信器２０１−２から警報を受信し、上り信号のパケットを全て無線送受信器２０１−１に出力する。
【００５７】
局側装置３００の無線送受信器３０１−１に異常が発生した場合、局側振り分け部３０２は、無線送受信器３０１−１から警報を受信し、下り信号のパケットを全て無線送受信器３０１−２に出力する。また、局側装置３００の無線送受信器３０１−２に異常が発生した場合、局側振り分け部３０２は、無線送受信器３０１−２から警報を受信し、下り信号のパケットを全て無線送受信器３０１−１に出力する。
【００５８】
一方、受信側で検知する方法は、自装置からの送信があるにも関わらず一定時間受信が無い場合に、異常があったと判断する方法である。その際は、対向する無線送受信器の切り替えを行うために、自装置又は自端末は、異常が発生していない組の無線送受信器から送信の切り替え要求を出力する。これにより、対向するユーザ端末２００又は局側装置３００が送信先の切り替えを行う。
【００５９】
具体的には、ユーザ端末２００の端末側振り分け部２０２は、上り信号のパケットを送信した後、一定時間、無線送受信器２０１−１において受信がないことを検出した場合、無線送受信器３０１−１に異常が発生したと判断する。端末側振り分け部２０２は、無線通信方式（２）を用いた送信への切り替え要求を無線送受信器２０１−２から無線により送信する。局側装置３００の無線送受信器３０１−２は、受信した切り替え要求を局側振り分け部３０２に出力し、局側振り分け部３０２は、全ての下り信号を無線送受信器３０１−２へ出力する。同様に、ユーザ端末２００の端末側振り分け部２０２は、上り信号のパケットを送信した後、一定時間、無線送受信器２０１−２において受信がないことを検出した場合、無線送受信器３０１−２に異常が発生したと判断する。端末側振り分け部２０２は、無線通信方式（１）を用いた送信への切り替え要求を無線送受信器２０１−１から無線により送信する。局側装置３００の無線送受信器３０１−１は、受信した切り替え要求を局側振り分け部３０２に出力し、局側振り分け部３０２は、全ての下り信号を無線送受信器３０１−１へ出力する。
【００６０】
また、局側装置３００の局側振り分け部３０２は、下り信号のパケットを送信した後、一定時間、無線送受信器３０１−１において受信がないことを検出した場合、無線送受信器２０１−１に異常が発生したと判断する。局側振り分け部３０２は、無線通信方式（２）を用いた送信への切り替え要求を無線送受信器３０１−２から無線により送信する。ユーザ端末２００の無線送受信器２０１−２は、受信した切り替え要求を端末側振り分け部２０２に出力し、端末側振り分け部２０２は、全ての上り信号を無線送受信器３０１−２へ出力する。同様に、局側装置３００の局側振り分け部３０２は、下り信号のパケットを送信した後、一定時間、無線送受信器３０１−２において受信がないことを検出した場合、無線送受信器２０１−２に異常が発生したと判断する。局側振り分け部３０２は、無線通信方式（１）を用いた送信への切り替え要求を無線送受信器３０１−１から無線により出力する。ユーザ端末２００の無線送受信器２０１−１は、受信した切り替え要求を端末側振り分け部２０２に出力し、端末側振り分け部２０２は、全ての上り信号を無線送受信器３０１−１へ出力する。
【００６１】
以上説明した実施形態によれば、通信システムは、通信品質が異なる通信方式を複数実装している通信端末へ大容量データのデータ信号の送信を低コストの通信方式により行い、通信端末からのＡＣＫ信号の送信を高品質な通信方式で行う。これにより、リアルタイム動画などのコンテンツ利用時に上り信号のパケットロスに起因するユーザの体感品質を下げずに通信が可能となる。
【００６２】
上述した実施形態によれば、通信装置は、第一無線通信部と、第二無線通信部と、送信制御部とを備える。例えば、通信装置はユーザ端末２００であり、第一無線通信部は無線送受信器２０１−１であり、第二無線通信部は無線送受信器２０１−２であり、送信制御部は端末側振り分け部２０２である。第二無線通信部は、第一無線通信部よりも低い通信品質の無線通信を行う。送信制御部は、第二無線通信部が無線により受信したデータ信号に対する応答信号を、第一無線通信部から無線により送信する。
【００６３】
あるいは、送信制御部は、応答信号を第一無線通信部と第二無線通信部とのそれぞれから無線により送信してもよい。この場合、例えば、通信装置はユーザ端末２１０であり、送信制御部は端末側振り分け部２１２である。
【００６４】
また、通信装置は、第一無線通信部と、第二無線通信部と、送信制御部と、受信制御部とを備える。例えば、通信装置は局側装置３００であり、第一無線通信部は無線送受信器３０１−１であり、第二無線通信部は無線送受信器３０１−２であり、送信制御部は局側振り分け部３０２である。第二無線通信部は、第一無線通信部よりも低い通信品質の無線通信を行う。送信制御部は、送信元の装置から受信したデータ信号を第二無線通信部から無線により送信する。受信制御部は、データ信号の送信先の装置から返送され、第一無線通信部が無線により受信した応答信号を送信元の装置へ送信する。例えば、送信元の装置は上位ＮＷ装置４００であり、送信先の装置はユーザ端末２００である。
【００６５】
なお、受信制御部は、第一無線通信部又は第二無線通信部の一方が応答信号を受信した場合は応答信号を送信元の装置へ送信し、第一無線通信部と第二無線通信部とが応答信号を受信した場合は受信したそれら応答信号の重複をなくして前記送信元の装置へ送信してもよい。この場合、通信装置は局側装置３１０、３３０であり、受信制御部はフィルタ部３１３である。
【００６６】
通信装置は、送信先の装置へ送信されるデータ量に関する情報を応答信号から取得し、取得した情報に基づいて送信先の通信装置に割り当てる帯域を計算する帯域計算部をさらに備えてもよい。
【００６７】
また、通信装置は、第一無線通信部に故障が発生した場合、第一無線通信部に代えて第二無線通信部を用いて無線通信を行い、第二無線通信部に故障が発生した場合、第二無線通信部に代えて第一無線通信部を用いて無線通信を行う切替部をさらに有してもよい。切替部は、端末側振り分け部２０２、２１２、局側振り分け部３０２、３１２である。
【００６８】
ユーザ端末２００及び２１０、ならびに、局側装置３００、３１０、３２０及び３３０は、バスで接続されたＣＰＵ（Central Processing Unit）やメモリや補助記憶装置などを備え、プログラムを実行することによって上述した機能を備える装置として機能する。なお、ユーザ端末２００及び２１０、ならびに、局側装置３００、３１０、３２０及び３３０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。上述した機能を実行させるためのプログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されても良い。
【００６９】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７０】
複数の通信方式を実装する通信システムに適用可能である。
【符号の説明】
【００７１】
１００、１１０、１２０、１３０…通信システム，  ２００、２０１−１〜２０１−Ｎ、２１０、２１０−１〜２１０−Ｎ…ユーザ端末，  ２０１−１、２０１−２、３０１−１、３０１−２…無線送受信器，  ２０２…端末側振り分け部，  ３００、３１０、３２０、３３０…局側装置，  ３０２、３１２…局側振り分け部，  ３１１…送信スケジューラ，  ３１３…フィルタ部，  ３２１…ＡＣＫスヌープ部，  ３２２…帯域計算部，  ４００…上位ＮＷ装置
【図１】
2020202436.tif 000003
【図２】
2020202436.tif 000004
【図３】
2020202436.tif 000005
【図４】
2020202436.tif 000006
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
無線通信を行う第一無線通信部と、
前記第一無線通信部よりも低い通信品質の無線通信を行う第二無線通信部と、
前記第二無線通信部が通信先の装置から無線により受信したデータ信号に対する応答信号を、前記第一無線通信部から無線により送信する送信制御部と、
を備え、
前記送信制御部は、前記第一無線通信部又は前記第二無線通信部の一方又は両方から前記通信先の装置へ信号を送信した後に、前記第二無線通信部が一定時間信号を受信しないことを検出した場合には前記第一無線通信部が使用する無線通信方式を用いた送信への切り替え要求を前記第一無線通信部から送信し、前記第一無線通信部が一定時間信号を受信しないことを検出した場合には前記第二無線通信部が使用する無線通信方式を用いた送信への切り替え要求を前記第二無線通信部から送信する、
通信装置。
【請求項２】
前記送信制御部は、前記応答信号を前記第一無線通信部と前記第二無線通信部とのそれぞれから無線により送信する、
請求項１に記載の通信装置。
【請求項３】
無線通信を行う第一無線通信部と、
前記第一無線通信部よりも低い通信品質の無線通信を行う第二無線通信部と、
送信元の装置から受信したデータ信号を前記第二無線通信部から無線により送信する送信制御部と、
前記データ信号の送信先の装置から返送され、前記第一無線通信部が無線により受信した応答信号を前記送信元の装置へ送信する受信制御部と、
を備え、
前記送信制御部は、前記第一無線通信部又は前記第二無線通信部から前記送信先の装置への信号の送信後、前記第一無線通信部が一定時間信号を受信しないことを検出した場合には前記第二無線通信部が使用する無線通信方式を用いた送信への切り替え要求を前記第二無線通信部から送信し、前記第二無線通信部が一定時間信号を受信しないことを検出した場合には前記第一無線通信部が使用する無線通信方式を用いた送信への切り替え要求を前記第一無線通信部から送信する、
通信装置。
【請求項４】
無線通信を行う第一無線通信部と、
前記第一無線通信部よりも低い通信品質の無線通信を行う第二無線通信部と、
送信元の装置から受信したデータ信号を前記第二無線通信部から無線により送信する送信制御部と、
前記データ信号の送信先の装置から返送され、前記第一無線通信部が無線により受信した応答信号を前記送信元の装置へ送信する受信制御部と、
前記送信先の装置へ送信されるデータ量に関する情報を前記応答信号から取得する処理と、前記応答信号の受信時刻と当該応答信号の送信後に前記送信元の装置から受信したデータ信号の受信時刻との差分に基づき前記送信元の装置との間のラウンドトリップタイムを計算する処理とを行い、取得したデータ量に関する前記情報及び計算された前記ラウンドトリップタイムに基づいて前記送信先の装置に割り当てる帯域及び帯域確保のタイミングを計算する帯域計算部と、
を備える通信装置。
【請求項５】
前記受信制御部は、前記第一無線通信部又は前記第二無線通信部の一方が前記応答信号を受信した場合は前記応答信号を前記送信元の装置へ送信し、前記第一無線通信部と前記第二無線通信部とが前記応答信号を受信した場合は前記応答信号の重複をなくして前記送信元の装置へ送信する、
請求項３又は請求項４に記載の通信装置。
【請求項６】
前記第一無線通信部に故障が発生した場合、前記第一無線通信部に代えて前記第二無線通信部を用いて無線通信を行い、前記第二無線通信部に故障が発生した場合、前記第二無線通信部に代えて前記第一無線通信部を用いて無線通信を行う、
請求項１から請求項５のいずれか一項に記載の通信装置。
【請求項７】
無線通信を行う第一無線通信部と、前記第一無線通信部よりも低い通信品質の無線通信を行う第二無線通信部とを有する通信装置における通信方法であって、
前記第二無線通信部が無線によりデータ信号を受信する受信ステップと、
前記受信ステップにおいて通信先の装置から受信した前記データ信号に対する応答信号を、前記第一無線通信部から無線により送信する送信ステップと、
前記第一無線通信部又は前記第二無線通信部の一方又は両方から前記通信先の装置へ信号を送信した後に、前記第二無線通信部が一定時間信号を受信しないことを検出した場合には前記第一無線通信部が使用する無線通信方式を用いた送信への切り替え要求を前記第一無線通信部から送信し、前記第一無線通信部が一定時間信号を受信しないことを検出した場合には前記第二無線通信部が使用する無線通信方式を用いた送信への切り替え要求を前記第二無線通信部から送信する切り替え要求ステップと、
を有する通信方法。
【請求項８】
無線通信を行う第一無線通信部と、前記第一無線通信部よりも低い通信品質の無線通信を行う第二無線通信部とを有する通信装置における通信方法であって、
送信元の装置から受信したデータ信号を前記第二無線通信部から無線により送信する送信ステップと、
前記第一無線通信部が、前記データ信号の送信先の装置から返送された応答信号を受信する受信ステップと、
前記受信ステップにおいて受信した前記応答信号を前記送信元の装置へ送信する転送ステップと、
前記第一無線通信部又は前記第二無線通信部から前記送信先の装置への信号の送信後、前記第一無線通信部が一定時間信号を受信しないことを検出した場合には前記第二無線通信部が使用する無線通信方式を用いた送信への切り替え要求を前記第二無線通信部から送信し、前記第二無線通信部が一定時間信号を受信しないことを検出した場合には前記第一無線通信部が使用する無線通信方式を用いた送信への切り替え要求を前記第一無線通信部から送信する切り替え要求ステップと、
を有する通信方法。
【請求項９】
無線通信を行う第一無線通信部と、前記第一無線通信部よりも低い通信品質の無線通信を行う第二無線通信部とを有する通信装置における通信方法であって、
送信元の装置から受信したデータ信号を前記第二無線通信部から無線により送信する送信ステップと、
前記第一無線通信部が、前記データ信号の送信先の装置から返送された応答信号を受信する受信ステップと、
前記受信ステップにおいて受信した前記応答信号を前記送信元の装置へ送信する転送ステップと、
前記送信先の装置へ送信されるデータ量に関する情報を前記応答信号から取得する処理と、前記応答信号の受信時刻と当該応答信号の送信後に前記送信元の装置から受信したデータ信号の受信時刻との差分に基づき前記送信元の装置との間のラウンドトリップタイムを計算する処理とを行い、取得したデータ量に関する前記情報及び計算された前記ラウンドトリップタイムに基づいて前記送信先の装置に割り当てる帯域及び帯域確保のタイミングを計算する帯域計算ステップと、
を有する通信方法。
【手続補正２】
【補正対象書類名】明細書
【補正対象項目名】００１０
【補正方法】変更
【補正の内容】
【００１０】
本発明の一態様は、無線通信を行う第一無線通信部と、前記第一無線通信部よりも低い通信品質の無線通信を行う第二無線通信部と、前記第二無線通信部が通信先の装置から無線により受信したデータ信号に対する応答信号を、前記第一無線通信部から無線により送信する送信制御部と、を備え、前記送信制御部は、前記第一無線通信部又は前記第二無線通信部の一方又は両方から前記通信先の装置へ信号を送信した後に、前記第二無線通信部が一定時間信号を受信しないことを検出した場合には前記第一無線通信部が使用する無線通信方式を用いた送信への切り替え要求を前記第一無線通信部から送信し、前記第一無線通信部が一定時間信号を受信しないことを検出した場合には前記第二無線通信部が使用する無線通信方式を用いた送信への切り替え要求を前記第二無線通信部から送信する、通信装置である。
【手続補正３】
【補正対象書類名】明細書
【補正対象項目名】００１２
【補正方法】変更
【補正の内容】
【００１２】
本発明の一態様は、無線通信を行う第一無線通信部と、前記第一無線通信部よりも低い通信品質の無線通信を行う第二無線通信部と、送信元の装置から受信したデータ信号を前記第二無線通信部から無線により送信する送信制御部と、前記データ信号の送信先の装置から返送され、前記第一無線通信部が無線により受信した応答信号を前記送信元の装置へ送信する受信制御部と、を備え、前記送信制御部は、前記第一無線通信部又は前記第二無線通信部から前記送信先の装置への信号の送信後、前記第一無線通信部が一定時間信号を受信しないことを検出した場合には前記第二無線通信部が使用する無線通信方式を用いた送信への切り替え要求を前記第二無線通信部から送信し、前記第二無線通信部が一定時間信号を受信しないことを検出した場合には前記第一無線通信部が使用する無線通信方式を用いた送信への切り替え要求を前記第一無線通信部から送信する、通信装置である。
本発明の一態様は、無線通信を行う第一無線通信部と、前記第一無線通信部よりも低い通信品質の無線通信を行う第二無線通信部と、送信元の装置から受信したデータ信号を前記第二無線通信部から無線により送信する送信制御部と、前記データ信号の送信先の装置から返送され、前記第一無線通信部が無線により受信した応答信号を前記送信元の装置へ送信する受信制御部と、前記送信先の装置へ送信されるデータ量に関する情報を前記応答信号から取得する処理と、前記応答信号の受信時刻と当該応答信号の送信後に前記送信元の装置から受信したデータ信号の受信時刻との差分に基づき前記送信元の装置との間のラウンドトリップタイムを計算する処理とを行い、取得したデータ量に関する前記情報及び計算された前記ラウンドトリップタイムに基づいて前記送信先の装置に割り当てる帯域及び帯域確保のタイミングを計算する帯域計算部と、を備える通信装置である。
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】変更
【補正の内容】
【００１６】
本発明の一態様は、無線通信を行う第一無線通信部と、前記第一無線通信部よりも低い通信品質の無線通信を行う第二無線通信部とを有する通信装置における通信方法であって、前記第二無線通信部が無線によりデータ信号を受信する受信ステップと、前記受信ステップにおいて通信先の装置から受信した前記データ信号に対する応答信号を、前記第一無線通信部から無線により送信する送信ステップと、前記第一無線通信部又は前記第二無線通信部の一方又は両方から前記通信先の装置へ信号を送信した後に、前記第二無線通信部が一定時間信号を受信しないことを検出した場合には前記第一無線通信部が使用する無線通信方式を用いた送信への切り替え要求を前記第一無線通信部から送信し、前記第一無線通信部が一定時間信号を受信しないことを検出した場合には前記第二無線通信部が使用する無線通信方式を用いた送信への切り替え要求を前記第二無線通信部から送信する切り替え要求ステップと、を有する。
【手続補正６】
【補正対象書類名】明細書
【補正対象項目名】００１７
【補正方法】変更
【補正の内容】
【００１７】
本発明の一態様は、無線通信を行う第一無線通信部と、前記第一無線通信部よりも低い通信品質の無線通信を行う第二無線通信部とを有する通信装置における通信方法であって、送信元の装置から受信したデータ信号を前記第二無線通信部から無線により送信する送信ステップと、前記第一無線通信部が、前記データ信号の送信先の装置から返送された応答信号を受信する受信ステップと、前記受信ステップにおいて受信した前記応答信号を前記送信元の装置へ送信する転送ステップと、前記第一無線通信部又は前記第二無線通信部から前記送信先の装置への信号の送信後、前記第一無線通信部が一定時間信号を受信しないことを検出した場合には前記第二無線通信部が使用する無線通信方式を用いた送信への切り替え要求を前記第二無線通信部から送信し、前記第二無線通信部が一定時間信号を受信しないことを検出した場合には前記第一無線通信部が使用する無線通信方式を用いた送信への切り替え要求を前記第一無線通信部から送信する切り替え要求ステップと、を有する。
本発明の一態様は、無線通信を行う第一無線通信部と、前記第一無線通信部よりも低い通信品質の無線通信を行う第二無線通信部とを有する通信装置における通信方法であって、送信元の装置から受信したデータ信号を前記第二無線通信部から無線により送信する送信ステップと、前記第一無線通信部が、前記データ信号の送信先の装置から返送された応答信号を受信する受信ステップと、前記受信ステップにおいて受信した前記応答信号を前記送信元の装置へ送信する転送ステップと、前記送信先の装置へ送信されるデータ量に関する情報を前記応答信号から取得する処理と、前記応答信号の受信時刻と当該応答信号の送信後に前記送信元の装置から受信したデータ信号の受信時刻との差分に基づき前記送信元の装置との間のラウンドトリップタイムを計算する処理とを行い、取得したデータ量に関する前記情報及び計算された前記ラウンドトリップタイムに基づいて前記送信先の装置に割り当てる帯域及び帯域確保のタイミングを計算する帯域計算ステップと、を有する通信方法である。